【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
端末デバイス間の自動ログイン方法であって：
端末デバイスにより送信される、前記端末デバイスの固有識別情報とログインＩＰ（インターネットプロトコル）アドレスとを有するログインリクエストを、サーバにより取得するステップ（１０１）と；
前記ログインリクエスト内の前記ＩＰアドレスに従って、ログイン済みの端末デバイスの固有識別情報と、ログインＩＰアドレスと、ユーザログインＩＤ（アイデンティティ）との間のサーバ保存済対応関係を用いて、同一ＩＰアドレスにてログイン済みの端末デバイスが存在するか否かをサーバがクエリするステップ（１０２）と；
肯定であれば、前記ログインリクエスト内の前記固有識別情報に従って、前記ログインリクエストを送信する端末デバイスと、前記ログイン済みの端末デバイスとの間の固有識別情報の対応関係が、端末デバイス間の固有識別情報のサーバ保存済対応関係内に存在するか否かをサーバがクエリするステップ（１０３）と；
肯定であれば、サーバが、前記端末デバイスの現在のログインページに対応するブラウザに対して、前記ログイン済みの端末デバイスのユーザログインＩＤに対応するデータクッキーを送信するステップ（１０４）であって、それにより、前記端末デバイスが自動的にログインを行う、前記ステップ（１０４）と；を備える、
端末間の自動ログイン方法。
【請求項２】
前記端末デバイスがログインに成功すると、前記端末デバイスの固有識別情報と、ログインＩＰアドレスと、ユーザログインＩＤを、対応関係の形式で記憶するステップをさらに備える、
請求項１に記載の自動ログイン方法。
【請求項３】
端末デバイス間の固有識別情報のサーバ保存済対応関係は：
第１の端末デバイスによって、第１の端末デバイス識別情報を使用して、クイックレスポンスコードを生成するステップと；
前記第１の端末デバイスから、前記生成されたクイックレスポンスコードを第２の端末デバイスに送信するステップと；
前記第１の端末デバイスから、前記第１の端末デバイスと前記第２の端末デバイスの固有識別情報間の対応関係を前記サーバに送信するステップと；によって得られる、
請求項１に記載の自動ログイン方法。
【請求項４】
端末デバイス間の固有識別情報のサーバ保存済対応関係は：
Ｂｌｕｅｔｏｏｔｈ（登録商標）を介して異なる端末デバイスを接続するステップと；
第１の端末デバイスにおいて、第２の端末デバイスの固有識別情報を取得するステップと；
前記第１の端末デバイスによって、前記第１の端末デバイスの固有識別情報と前記第２の端末デバイスの取得された固有識別情報との間の対応関係を前記サーバに送信するステップと；によって得られる、
請求項１に記載の自動ログイン方法。
【請求項５】
端末デバイス間の固有識別情報のサーバ保存済対応関係は：
第１の端末デバイスから、近距離無線通信デバイスに、前記第１の端末デバイスの固有識別情報を送信するステップと；
前記近距離無線通信デバイスから、前記サーバに、複数の端末デバイス間の固有識別情報の対応関係を送信するステップと；によって得られる、
請求項１に記載の自動ログイン方法。
【請求項６】
端末デバイス間の固有識別情報の前記サーバに格納された対応関係は：
第１の端末デバイスから、第２の端末デバイスに、前記第１の端末デバイスの固有識別情報を送信するステップと；
前記第２の端末デバイスから、前記サーバに、前記第１の端末デバイスと前記第２の端末デバイスとの間の固有識別情報の対応関係を送信するステップと；によって得られる、
請求項１に記載の自動ログイン方法。
【請求項７】
端末デバイスにより送信され、前記端末デバイスの固有識別情報とログインＩＰ（インターネットプロトコル）アドレスとを有するログインリクエストを、サーバにより取得する前記ステップは、具体的に：
前記ログインページにアクセスする際に、前記端末デバイスにより送信され、前記端末装置の固有識別情報とログインＩＰアドレスとを有する前記ログインリクエストを、前記サーバにより取得するステップであって、前記端末デバイスの固有識別情報とログインＩＰアドレスとは、前記ログインページがＪａｖａ（登録商標）Ｓｃｒｉｐｔを用いて現在のログインページのＦＬＡＳＨツールプラグインを呼び出すことによって取得される、前記ステップを備える、
請求項１に記載の自動ログイン方法。
【請求項８】
端末デバイス間の自動ログイン方法であって：
ログインページにアクセスする際に、端末デバイスの固有識別情報とログインＩＰアドレスとを有するログインリクエストを、前記端末デバイスによりサーバへ送信するステップと；
前記ログインリクエストに従って前記サーバにより得られる、ログイン済みの端末デバイスのユーザログインＩＤを含む、クエリ結果を前記端末デバイスにより獲得するステップであって、それにより、前記端末デバイスが前記クエリ結果に従ってログインを行う、前記ステップと；を備える、
端末間の自動ログイン方法。
【請求項９】
ログインページにアクセスする際に、端末デバイスの固有識別情報とログインＩＰアドレスとを有するログインリクエストを、前記端末デバイスによりサーバへ送信する前記ステップは、具体的に：
前記ログインページにアクセスする際に前記端末デバイスにより、前記端末デバイスの固有識別情報とログインＩＰアドレスとを前記ログインリクエストに追加し、前記サーバへ前記ログインリクエストを送信するステップであって、前記端末デバイスの固有識別情報とログインＩＰアドレスとは、前記ログインページがＪａｖａ（登録商標）Ｓｃｒｉｐｔを用いて現在のログインページのソフトウェアＦＬＡＳＨツールプラグインを呼び出すことによって取得される、前記ステップを備える、
請求項８に記載の自動ログイン方法。
【請求項１０】
前記端末デバイスが、前記クエリ結果に従ってログインを行うステップは；
現在のログインページに対応するブラウザ中にある、前記ログイン済みの端末デバイスのユーザログインＩＤに対応するデータクッキーを用いて自動的にログインを行うステップであって、前記ユーザログインＩＤは、前記クエリ結果に従って得られ、前記サーバにより送信される、前記ステップを備える、
請求項８に記載の自動ログイン方法。
【請求項１１】
請求項１〜請求項７のいずれか１項に記載の方法を実行するように構成された複数のモジュールを備える、
サーバ。
【請求項１２】
請求項８〜請求項１０のいずれか１項に記載の動作を実行するように構成された複数のモジュールを備える、
端末デバイス。
【手続補正２】
【補正対象書類名】明細書
【補正対象項目名】００４７
【補正方法】変更
【補正の内容】
【００４７】
上記の説明は本願の好ましい実施に過ぎない。なお、当業者にとっては、本願の原理から逸脱することなく改良及び改変がなされ得るが、これら改良及び改変もまた、本願の保護範囲にあると見なされる。
上記の開示は本願の具体的な実施の形態の一部に過ぎない。したがって、本願はこれらに制限されない。当業者が考え得るいかなる変更も本願の保護範囲に属する。
［第１の局面］
端末間のログイン不要方法であって：
端末装置により送信され、前記端末装置の固有識別情報とログインＩＰ（インターネットプロトコル）アドレスとを有するログインリクエストを、サーバにより取得するステップと；
前記ログインリクエスト内の前記ＩＰアドレスに従って、ログイン済みの端末装置の固有識別情報と、ログインＩＰアドレスと、ユーザログインＩＤ（アイデンティティ）との間のサーバ保存済対応関係内に、同一ＩＰアドレスにてログイン済みの端末装置が存在するか否かをサーバがクエリするステップと；
肯定であれば、前記ログインリクエスト内の前記固有識別情報に従って、前記ログインリクエストを送信する端末装置と、前記ログイン済みの端末装置との間の固有識別情報の対応関係が、端末装置間の固有識別情報のサーバ保存済対応関係内に存在するか否かをサーバがクエリするステップと；
肯定であれば、サーバが、前記端末装置の現在のログインページに対応するブラウザに対して、前記ログイン済みの端末装置のユーザログインＩＤに対応するデータクッキーを送信するステップと；を備え、それにより、前記端末装置が自動的にログインを行う、
端末間のログイン不要方法。
［第２の局面］
端末装置により送信され、前記端末装置の固有識別情報とログインＩＰ（インターネットプロトコル）アドレスとを有する、ログインリクエストを、サーバにより取得する前記ステップは、具体的に：
前記ログインページにアクセスする際に前記端末装置により送信され、前記端末装置の前記固有識別情報と前記ログインＩＰアドレスとを有する前記ログインリクエストを、前記サーバにより取得するステップを備え、前記端末装置の前記固有識別情報と前記ログインＩＰアドレスとは、前記ログインページがＪａｖａ（登録商標）Ｓｃｒｉｐｔを用いて現在のログインページのＦＬＡＳＨツールプラグインを呼び出すことによって取得される、
第１の局面に記載の方法。
［第３の局面］
端末間のログイン不要方法であって：
ログインページにアクセスする際に、前記端末装置の固有識別情報とログインＩＰアドレスとを有するログインリクエストを、端末装置によりサーバへ送信するステップと；
前記ログインリクエストに従って前記サーバにより得られ、ログイン済みの端末装置のユーザログインＩＤを含む、クエリ結果を前記端末装置により獲得することによって、前記端末装置が前記クエリ結果に従ってログインを行うステップと；を備える、
端末間のログイン不要方法。
［第４の局面］
ログインページにアクセスする際に、前記端末装置の固有識別情報とログインＩＰアドレスとを有するログインリクエストを、前記端末装置によりサーバへ送信する前記ステップは、具体的に：
前記ログインページにアクセスする際に前記端末装置により、前記端末装置の前記固有識別情報と前記ログインＩＰアドレスとを前記ログインリクエストに追加し、前記サーバへ前記ログインリクエストを送信するステップを備え、前記端末装置の前記固有識別情報と前記ログインＩＰアドレスとは、前記ログインページがＪａｖａ（登録商標）Ｓｃｒｉｐｔを用いて前記現在のログインページのソフトウェアＦＬＡＳＨツールプラグインを呼び出すことによって取得される、
第３の局面に記載の方法。
［第５の局面］
前記端末装置は、前記クエリ結果に従ってログインを行い、具体的に：
前記端末装置は、前記現在のログインページに対応するブラウザ中にある、前記ログイン済みの端末装置のユーザログインＩＤに対応するデータクッキーを用いて自動的にログインを行うことを備え、
前記ユーザログインＩＤは、前記クエリ結果に従って得られ、前記サーバにより送信される、
第３の局面に記載の方法。
［第６の局面］
サーバであって：
端末装置により送信され、前記端末装置の固有識別情報とログインＩＰ（インターネットプロトコル）アドレスとを有するログインリクエストを取得するように構成された取得モジュールと；
前記ログインリクエスト内の前記ＩＰアドレスに従って、ログイン済みの端末装置の固有識別情報と、ログインＩＰアドレスと、ユーザログインＩＤ（アイデンティティ）との間のサーバ保存済対応関係内に、同一ＩＰアドレスにてログイン済みの端末装置が存在するか否かをクエリするように構成された第１のクエリモジュールと；
肯定であれば、前記ログインリクエスト内の前記固有識別情報に従って、前記ログインリクエストを送信する端末装置と前記ログイン済みの端末装置との間の固有識別情報の対応関係が、端末装置間の固有識別情報のサーバ保存済対応関係内に存在するか否かをクエリするように構成された第２クエリモジュールと；
肯定であれば、前記端末装置の現在のログインページに対応するブラウザに対して、前記ログイン済みの端末装置のユーザログインＩＤに対応するデータクッキーを送信するように構成された送信モジュールと：を備え、それにより、前記端末装置が自動的にログインを行う、
サーバ。
［第７の局面］
前記取得モジュールは具体的に：
前記ログインページにアクセスする際に前記端末装置により送信され、前記端末装置の前記固有識別情報と前記ログインＩＰアドレスとを有する前記ログインリクエストを取得するように構成され、前記端末装置の前記固有識別情報と前記ログインＩＰアドレスとは、前記ログインページがＪａｖａ（登録商標）Ｓｃｒｉｐｔを用いて現在のログインページのＦＬＡＳＨツールプラグインを呼び出すことによって取得される、
第６の局面に記載のサーバ。
［第８の局面］
端末装置であって：
前記端末装置がログインページにアクセスする際に、前記端末装置の固有識別情報とログインＩＰアドレスとを有するログインリクエストをサーバへ送信するように構成された送信モジュールと；
前記ログインリクエストに従って前記サーバによって得られ、ログイン済みの端末装置のユーザログインＩＤを含む、クエリ結果を取得するように構成された取得モジュールと；を備え、それにより、前記端末装置が前記クエリ結果に従ってログインを行う、
端末装置。
［第９の局面］
前記送信モジュールは具体的に：
前記ログインページにアクセスする際に、前記端末装置の前記固有識別情報と前記ログインＩＰアドレスとを前記ログインリクエストへ追加し、前記サーバへ前記ログインリクエストを送信するように構成され、前記端末装置の前記固有識別情報と前記ログインＩＰアドレスとは、前記ログインページがＪａｖａ（登録商標）Ｓｃｒｉｐｔを用いて前記現在のログインページのソフトウェアＦＬＡＳＨツールプラグインを呼び出すことによって取得される、
第８の局面に記載の端末装置。
［第１０の局面］
前記端末装置は、前記クエリ結果に従ってログインを行い、具体的に：
前記端末装置は、前記現在のログインページに対応するブラウザ中にある、前記ログイン済みの端末装置のユーザログインＩＤに対応するデータクッキーを用いて自動的にログインを行うことを備え、
前記ユーザログインＩＤは、前記クエリ結果に従って得られ、前記サーバにより送信される、
第８の局面に記載の端末装置。